(57)【要約】      （修正有）【課題】外装の合わせ目部分を目立たなくすることで、外装の品位を向上させることができる電子機器を提供する。【解決手段】電子機器は、本体を覆うフロントカバー１９とリアカバー１８とを備える。フロントカバー１９は、第１の穴形状部１９１、第１の凸形状部、フロントカバー１９とリアカバー１８との合わせ部分２１を覆う目隠し形状部１９７が形成される。リアカバー１８は、第１の凸形状部と係合する第２の穴形状部、第１の穴形状部１９１と係合する第２の凸形状部１８１が形成される。そして、目隠し形状部１９７は、合わせ部分２１から遠ざかるにつれ、リアカバー１８に向けて突出する斜面形状部が形成される。【選択図】図１１
2010049006.tif 000002
【特許請求の範囲】
【請求項１】
本体を覆う第１の外装部材と第２の外装部材とを備える電子機器において、
前記第１の外装部材は、第１の穴形状部と、第１の凸形状部と、前記第１の外装部材と前記第２の外装部材との合わせ部分を覆う目隠し形状部とが形成され、
前記第２の外装部材は、前記第１の凸形状部と係合する第２の穴形状部と、前記第１の穴形状部と係合する第２の凸形状部とが形成され、
前記目隠し形状部は、前記合わせ部分から遠ざかるにつれ、前記第２の外装部材に向けて突出する斜面形状部が形成されることを特徴とする電子機器。
【請求項２】
第１の外装部材は、少なくとも前記本体の前面及び上面を覆うものであって、前記第２の外装部材は少なくとも前記本体の背面を覆うものであることを特徴とする請求項１記載の電子機器。
【請求項３】
前記第１の穴形状部の近傍に前記第１の凸形状部を形成し、前記第２の穴形状部の近傍に前記第２の凸形状部を形成することを特徴とする請求項１または請求項２記載の電子機器。
【発明の詳細な説明】
【技術分野】
【０００１】
本発明は第１の外装部材と、第２の外装部材とを備えた、撮像装置を含む電子機器に関する。
【背景技術】
【０００２】
近年の電子機器においては、性能だけでなく、美観的にも高い品位のものが要求されている。更には、特徴的な外観を有するものも好まれているが、外観形状によっては外装の合わせ目部分の品位（外装の合わせ目部分を目立たなくすること）の確保が困難な場合もある。このような中、特許文献１に示すように、外装部品に斜面形状を設けて内部部品を固定する技術が公開されている。
【特許文献１】特開平１０−３３９８７２号公報
【発明の開示】
【発明が解決しようとする課題】
【０００３】
しかし、上記特許文献１に記載の技術は、内部構成部品の固定に関するものであり、外観部品の品位については特に述べられていない。特に、特徴的な外観を有する電子機器において、外観品位を確保するための構造の確立が必要とされている。
【０００４】
本発明の目的は、外装の合わせ目部分を目立たなくすることで、外装の品位を向上させることができる電子機器を提供することにある。
【課題を解決するための手段】
【０００５】
上記目的を達成するために、本発明の電子機器は、本体を覆う第１の外装部材と第２の外装部材とを備える電子機器において、前記第１の外装部材は、第１の穴形状部と、第１の凸形状部と、前記第１の外装部材と前記第２の外装部材との合わせ部分を覆う目隠し形状部とが形成され、前記第２の外装部材は、前記第１の凸形状部と係合する第２の穴形状部と、前記第１の穴形状部と係合する第２の凸形状部とが形成され、前記目隠し形状部は、前記合わせ部分から遠ざかるにつれ、前記第２の外装部材に向けて突出する斜面形状部が形成されることを特徴とする。
【発明の効果】
【０００６】
本発明の電子機器によれば、外装の合わせ目部分を目立たなくすることで、外装の品位を向上させることができる。
【発明を実施するための最良の形態】
【０００７】
以下、本発明を図面を参照しながら詳細に説明する。
【０００８】
図１は、本発明の実施の形態に係る電子機器としての撮像装置の正面側の斜視図、図２は、本発明の実施の形態に係る電子機器としての撮像装置の背面側の斜視図である。
【０００９】
図１の撮像装置の本体１において、パワーボタン４は、電源のオン／オフの切り替えを行い、ズームレバー３では、テレ／ワイドのズーム切り替えを行った後、レリーズボタン２で撮影を行う。
【００１０】
この際、レリーズボタン２は、２段階の押しボタン構成となっており、レリーズボタン２の半押し状態で、ＡＦ（オートフォーカス）処理、ＡＥ（自動露出）処理、ＡＷＢ（オートホワイトバランス）処理を行う。
【００１１】
また、レリーズボタン２の全押し状態で、不図示である撮像部からの信号読み出しからＳＤ等の記録媒体に画像データを書き込むまでの一連の撮像処理の動作開始を行う。ここでいう撮像部とは、光学像を電気信号に変換するＣＣＤやＣＭＯＳ素子等で構成されている。
【００１２】
この撮影（撮像）時には、鏡筒部８に構成される、レンズや撮像部を破損や汚れから保護しているバリア８ａが開き、不図示の複数のレンズ部を透過した光学像が撮像部に取り込まれることになる。更に、撮像部から出力されたアナログ信号をＡ／Ｄ変換器によりデジタル信号に変換後、各種画像処理を経て記録媒体に画像データが書き込まれることになる。
【００１３】
モードダイアル５では、様々なモード切り替え、例えば、シャッタースピード優先モードや、絞り優先モード、これらの適正な値を自動で設定するオートモード等の切り替えを行うことができる。様々なシーンでの適正な撮影条件が得られるシーンモードも、このモードダイアル５で設定が可能となっている。
【００１４】
ストロボ部６は、回動部６ａを矢印Ａ方向に手動で回動させることでストロボ発光部が現れ、夜間や暗所での撮影時に発光し、撮影を補助することができる。また補助光ランプ７は、暗所での撮影時に発光することでＡＦ動作を補助し、セルフタイマ使用時に発光することで被写体への確認手段として用いられ、更には赤目緩和を目的とした発光に使用される。
【００１５】
図２において、表示部１０には撮影時の画像や、再生時の画像が表示される。撮影モード／再生モードの切り替えは、再生ボタン１１を押すことで可能となる。撮影モードにおいて、顔認識ボタン１２を押すことにより、被写体の顔位置を自動で検出し、適正な露出等の調整を自動で行うことが可能となる。
【００１６】
露出調整ボタン１３では、露出値の設定が可能となるモードに移行することができ、ディスプレイボタン１４では、表示部１０に表示される情報の切り替えを行うことができる。メニューボタン１５を押すことで、各種設定値を変更するメニュー画面に切り替えることができる。
【００１７】
また、これらの各種設定は、十字ボタン１７を用いて設定し、セットボタン１６を押すことにより実行される。プリントボタン９は、撮影した画像を直接プリンタから出力する際に使用するボタンである。
【００１８】
尚、近年の電子機器においては、特徴的なデザインが要求されてきており、本実施の形態においても外装構成に特徴を持たせている。
【００１９】
図１のように、フロントカバー（第１の外装部材）１９が、前面Ｂと、ストロボ部６を除いたモードダイアル５等を構成している上面Ｃで一体形成されており、更に、図２における背面Ｄにも回りこみ、合わせ部分２１までがフロントカバー１９で形成されている。このように構成することで、フロントカバー１９とリアカバー（第２の外装部材）１８の合わせ部分２１が前面Ｂ、上面Ｃに露呈されない特徴あるデザインとなっている。
【００２０】
次に、本体１内部の構成を説明する。
【００２１】
図３は、図１の撮像装置の要部の内部構成を示す背面側の分解斜視図である。
【００２２】
説明の便宜上、不要な構成部品については省略している。電子回路基板５２は、電池室５３とシャーシ５１とに挟み込まれる構成となっている。電池室５３に、位置決め用の凸形状部５３ａが設けられ、これに電子回路基板５２とシャーシ５１に設けられた穴形状部が嵌合する。
【００２３】
同様に設けられた、電池室５３の凸形状部５３ａと電子回路基板５２とシャーシ５１にそれぞれ設けられた長穴形状部が嵌合し、これらにより電池室５３に対して電子回路基板５２とシャーシ５１の位置決めがなされる。
【００２４】
シャーシ５１と電池室５３の間に電子回路基板５２を挟み込んだ状態で、シャーシ５１から電池室５３にビス６２と更にもう１つの不図示のビスを締め付けることで、電池室５３、電子回路基板５２、シャーシ５１が固定されることになる。
【００２５】
操作系フレキシブル基板５４は、シャーシ５１に対し、不図示の両面テープにより貼り付け固定される。
【００２６】
この際、シャーシ５１には位置決め用のピンが設けられ、操作系フレキシブル基板５４に設けられた穴形状部と長穴形状部により、位置が固定されることになる。操作系フレキシブル基板５４と電子回路基板５２は、コネクタ部５４ａと、電子回路基板５２に設けられた不図示のコネクタ部により接続される。
【００２７】
次に、操作ボタン類を構成するボタン支持部材と各種ボタンについて説明する。
【００２８】
弾性体からなるボタン支持部材５５にはそれぞれ、再生ボタン１１、顔認識ボタン１２、露出調整ボタン１３が両面テープで固定される。固定は、接着剤を用いても良い。ボタン類が取り付けられたボタン支持部材５５は、穴形状部５５ａと、シャーシ５１に設けられたピンとが軽圧入され、操作系フレキシブル基板５４を挟むようにシャーシ５１に固定される。ボタン支持部材５６も同様である。
【００２９】
また、セットボタン１６と十字ボタン１７を構成するジョグダイアルユニット６３も、シャーシ５１に設けられたピンとジョグダイアルユニット６３の板金部に設けられた穴形状部で位置決めされる。そして、操作系フレキシブル基板５４を介してシャーシ５１にビス固定される。
【００３０】
ＬＣＤユニット１０Ａも同様に、シャーシ５１に設けられた凸形状部と、ＬＣＤユニット１０Ａに設けられた穴形状部で位置決めされ、ビスでシャーシ５１に固定される。
【００３１】
図４は、図１の撮像装置の内部構成の全体を示す背面側の分解斜視図である。
【００３２】
図４において、ストロボ部６は、ストロボ部６に設けられた穴形状部６ｂと、シャーシ５１に設けられたバーリング形状部５１ａにより、ビス６ａを用いてシャーシ５１に固定される。
【００３３】
同様に、鏡筒部８は、鏡筒部８に設けられた穴形状部８ｃと、不図示であるがシャーシ５１に設けられたバーリング形状部により、ビス８ｂを用いてシャーシ５１に固定される。尚、鏡筒部は更に不図示のビスを用い、計２個のビスにより、シャーシ５１に固定される。尚、便宜上、フレキシブル基板等、不要の部品は不図示としている。
【００３４】
図５は、図１におけるフロントカバーの内面側の上方斜視図である。
【００３５】
図５において、フロントカバー１９には、モードダイアル５や、パワーボタン４、レリーズボタン２、ズームレバー３が備えられる。これらの操作ボタン類は、フロントカバー１９に取り付けられる。プレート６６には、上面操作系フレキシブル基板６５が配置され、プレート６６に設けられた穴形状部６６ｂとビス６６ａにより、フロントカバー６６に固定される。
【００３６】
図６は、図２におけるフロントカバーとリアカバーを分解した状態の正面側の分解斜視図である。
【００３７】
図６に示すように、フロントカバー１９とリアカバー１８は、ビスを用いてシャーシ５１、もしくは電池室５３に組み付けられる。ビス１８ａは、リアカバー１８に設けた穴形状部１８ｂとフロントカバー１９に設けた穴形状部１９ｅを介し、シャーシ５１に設けたバーリング形状５１ｃに取り付けられることで、リアカバー１８とフロントカバー１９がシャーシ５１に固定される。
【００３８】
ビス１９ａとビス１９ｂは、フロントカバー１９に設けた穴形状部１９ｃ、１９ｄ、更に、ストロボ部６に設けた穴形状部６ｃ、６ｄを介し、穴形状部６ｃ、６ｄの下側に配置されるシャーシ５１に設けた不図示のバーリング形状部に取り付けられる。このことで、フロントカバー１９とストロボ部６はシャーシ５１に固定される。
【００３９】
図７は、図２におけるフロントカバーとリアカバーを分解した状態の背面側の分解斜視図である。
【００４０】
図７に示すように、ビス１８ｃ、１８ｄは、リアカバー１８に設けた穴形状１８ｈ、１８ｋを介し、シャーシ５１に設けたバーリング形状５１ｄ、５１ｅに取り付けられることで、リアカバー１８がシャーシ５１に固定される。
【００４１】
ビス１８ｅ、１８ｆは、リアカバー１８に設けた穴形状１８ｍ、１８ｎ、更に、フロントカバー１９に設けた穴形状部１９ｋ、１９ｍを介し、電池室５３に設けたタップ形状部５３ｂ、５３ｃに取り付けられる。このことで、リアカバー１８とフロントカバー１９が電池室５３に固定される。
【００４２】
ストラップ部２０は、フロントカバー１９に略嵌合状態で取り付けられており、ビス２０ａは、ストラップ部２０に設けた穴形状部２０ｂを介し、電池室５３に設けたタップ形状部５３ｄに取り付けられることで、フロントカバー１９が電池室５３に固定される。
【００４３】
ビス１８ｇは、リアカバー１８に設けた穴形状部１８ｐを介して、ビス１９ｇは、フロントカバー１９に設けた穴形状部１９ｐを介して、それぞれシャーシ５１に設けたバーリング形状部５１ｇ、５１ｈに取り付けられる。このことで、リアカバー１８、フロントカバー１９はシャーシ５１に固定される。
【００４４】
ビス１９ｆは、フロントカバー１９に設けた穴形状部１９ｎを介し、電池室５３に設けたタップ形状部５３ｅに取り付けられることで、フロントカバー１９は電池室５３に固定される。
【００４５】
ビス１９ｈは、フロントカバー１９に設けた穴形状部１９ｑとリアカバー１８に設けた穴形状部１８ｑのそれぞれを介し、シャーシ５１に設けたバーリング形状部５１ｆに取り付けられる。このことで、フロントカバー１９、リアカバー１８がそれぞれシャーシ５１に固定される。
【００４６】
次に、フロントカバー１９、リアカバー１８の目隠し構成について説明する。
【００４７】
図８は、図１におけるフロントカバーの内面側の下方斜視図である。図９は、図２におけるリアカバーの内面側の上方斜視図である。
【００４８】
図８において、フロントカバー１９には、外観面から１段落ちた箇所に目隠し形状部１９７、１９８、１９９を形成し、フロントカバー１９とリアカバー１８との隙間から内部が見えない構成になっている。図９のリアカバー１８は、この目隠し形状部１９７、１９８、１９９に当接することになる。
【００４９】
次に、フッキング構成について説明する。
【００５０】
ここでいうフッキングとは、フロントカバー１９とリアカバー１８の組み込み時における合わせ目に隙間ができることを防止するためのものである。各々カバー同士をフックさせることで図８中のＹ方向、Ｚ方向における隙間の発生を防止している。
【００５１】
図８のフロントカバー１９に設けた穴形状部（第１の穴形状部）１９１、１９２、１９３には、図９のリアカバー１８に設けた凸形状部（第２の凸形状部）１８１、１８２、１８３が入り込む（係合する）ことで、図中Ｙ方向の隙間防止に効果を持たせている。
【００５２】
図８のフロントカバー１９に設けた凸形状部（第１の凸形状部）１９５、１９６が、図９のリアカバー１８に設けた穴形状部（第２の穴形状部）１８５、１８６に入り込む（係合する）ことで、図中Ｚ方向の隙間防止に効果を持たせている。
【００５３】
ここで、第１の穴形状部１９１の近傍に第１の凸形状部１９５を形成し、第２の穴形状部１８５の近傍に第２の凸形状部１８１を形成する。
【００５４】
以下、Ｙ方向のフッキング構成については、穴形状部１９１と凸形状部１８１、Ｚ方向のフッキング構成については、凸形状部１９５、穴形状部１８５の組み合わせを用いて説明する。
【００５５】
図１０は、図１の撮像装置の上面図である。また、図１１は、図１０におけるＡ−Ａ断面図、図１２は、図１０におけるＢ−Ｂ断面図である。
【００５６】
図１１において、フロントカバー１９に設けた穴形状部１９１にリアカバー１８に設けた凸形状部１８１が入り込み、図中、穴形状部１９１の下側と凸形状部１８１の下側のクリアランスＬ１を略０とする。このことで、フロントカバー１９がＹ方向に浮くことによる隙間の発生を防止している。
【００５７】
図１２において、リアカバー１８に設けた穴形状部１８５に、フロントカバー１９に設けた凸形状部１９５が入り込み、図中、穴形状部１８５の左側と凸形状部１９５の左側のクリアランスＬ２を略０とする。このことで、リアカバー１８がＺ方向に外れるのを防止している。
【００５８】
ところで、これらのフッキング近辺では隙間防止の効果があるが、フッキングを作るスペースが無い場合には、別の対策を施す必要がある。
【００５９】
そこで、本実施の形態においては、更に、目隠し形状部に斜面形状を設けることで対策としている。
【００６０】
図１１において、目隠し形状部１９７のリアカバー１８との当接面１９７ａに、合わせ部分２１から遠ざかるにつれてリアカバー１８に突出する方向（図１１においては右下下がり）に斜面形状を持たせ、同様にリアカバー１８にも略同じ斜面形状を持たせる。このことで、リアカバー１８が上から覆い被さる構成となり、フロントカバー１９のＺ方向の浮き防止効果が得られる。
【００６１】
本実施の形態では、図８において、目隠し形状部１９７は側面まで回り込み、延長部１９７ｃまで存在しており、更に、斜面形状部１９７ｂまで斜面形状を持たせている。しかし、更なる隙間防止効果を持たせるために、延長部１９７ｃまで斜面形状を持たせても良い。
【００６２】
その場合、対となる図９のリアカバー１８の当接面にも斜面形状部を持たせることで、角部１８７ｂのように、通常隙間が発生しやすい箇所においても、隙間防止の効果を得ることができる。このように、フッキングを作るスペースが無い場合は、同様な斜面形状を目隠し形状部１９７に形成することで、フロントカバー等の外装部品の隙間対策となる。
【図面の簡単な説明】
【００６３】
【図１】本発明の実施の形態に係る電子機器としての撮像装置の正面側の斜視図である。
【図２】本発明の実施の形態に係る電子機器としての撮像装置の背面側の斜視図である。
【図３】図１の撮像装置の要部の内部構成を示す背面側の分解斜視図である。
【図４】図１の撮像装置の内部構成の全体を示す背面側の分解斜視図である。
【図５】図１におけるフロントカバーの内面側の上方斜視図である。
【図６】図２におけるフロントカバーとリアカバーを分解した状態の正面側の分解斜視図である。
【図７】図２におけるフロントカバーとリアカバーを分解した状態の背面側の分解斜視図である。
【図８】図１におけるフロントカバーの内面側の下方斜視図である。
【図９】図２におけるリアカバーの内面側の上方斜視図である。
【図１０】図１の撮像装置の上面図である。
【図１１】図１０におけるＡ−Ａ断面図である。
【図１２】図１０におけるＢ−Ｂ断面図である。
【符号の説明】
【００６４】
１  本体
２  レリーズボタン
３  ズームレバー
４  パワーボタン
５  モードダイアル
６  ストロボ部
１８  リアカバー
１９  フロントカバー
２１  合わせ部分
１８１  凸形状部
１８５  穴形状部
１９１  穴形状部
１９５  凸形状部
１９７  目隠し形状部
【図１】
2010049006.tif 000003
【図２】
2010049006.tif 000004
【図３】
2010049006.tif 000005
【図４】
2010049006.tif 000006
【図５】
2010049006.tif 000007
【図６】
2010049006.tif 000008
【図７】
2010049006.tif 000009
【図８】
2010049006.tif 000010
【図９】
2010049006.tif 000011
【図１０】
2010049006.tif 000012
【図１１】
2010049006.tif 000013
【図１２】
2010049006.tif 000014